(57)【特許請求の範囲】
【請求項１】
機器に設けられたスイッチを操作する操作釦において、
光透過性を有すると共に表面に印刷を設けた釦部と、
前記釦部を掛止めするための爪部を設けた窓状の釦嵌合部を有する釦枠部とを備え、
前記釦枠部は、前記機器に取り付ける取付部と、
前記取付部と前記釦枠部との間に薄肉に形成されたヒンジ部と、
前記スイッチを押すスイッチ作動部とを有し、
前記釦部と前記釦枠部とは前記爪部によって分割可能に勘合し、
前記釦部は前記釦枠部よりも印刷密着性の優れた樹脂にて成形されると共に、
前記釦枠部は前記釦部よりも剪断弾性の優れた樹脂にて成形された操作釦。
【請求項２】
釦部が光透過性樹脂に光拡散剤を混合した材料にて成形されたことを特徴とする請求項１記載の操作釦。
【請求項３】
釦部がアクリロニトリル・ブタジエン・スチレン樹脂を含む材料にて成形されたことを特徴とする請求項１ないし請求項２のいずれかに記載の操作釦。
【請求項４】
釦枠部がポリプロピレンにて成形されたことを特徴とする請求項１ないし請求項３のいずれかに記載の操作釦。
【発明の詳細な説明】
【０００１】
【産業上の利用分野】
本発明は、電子機器等の操作釦に関する。
【０００２】
【従来の技術】
近年、電子機器等には、その機能を操作するために多種多様な操作釦が使われている。操作釦は通常、電子機器等のフロントパネルに取付けられ、プリント基板にハンダ付けされたタクトスイッチに操作力を伝える。操作釦は意匠、電子機器の機能に依る釦形状の相違から、多種類にわたる操作釦が開発されていた。
【０００３】
以下、従来の操作釦について図面を参照しながら説明する。
図４は従来の操作釦の平面図であり、図３は従来の操作釦及びその関連部分のＢ−Ｂ線の断面図である。
【０００４】
図３および図４において、５は電子機器の操作部が設けられているフロントパネルである。１はフロントパネル５の裏面に対向して設けられたプリント基板である。２はプリント基板１に実装されたＬＥＤ、３はプリント基板１に実装されたタクトスイッチである。４はプリント基板１に圧入されたＬＥＤホルダ−である。６はポリプロピレンで成形された操作釦である。操作釦６は、その表面に釦の機能が印刷された釦部６ａと、薄肉に形成された可撓性のヒンジ部６ｂと、フロントパネルの突起部に挿入して操作釦をフロントパネル５に取り付ける取付部６ｃと、その先端部がプリント基板１に当接して操作釦の抜けを防止する抜け止め６ｄと、タクトスイッチ３を押すスイッチ作動部６ｆとを有している。
【０００５】
次に、動作を説明する。
図３に示すように、釦部６ａとヒンジ部６ｂとが一体成形で作られた操作釦６を、フロントパネル５に固定し、釦部６ａを矢印Ａの方向に押すと、その押圧力に依ってスイッチ作動部６ｆはタクトスイッチ３を押す。タクトスイッチ３が押されたことが認識されると、ＬＥＤ２が光る。ＬＥＤホルダ−４はこの光を集光する為のものであり、釦部６ａはこれらの光を透過および拡散する役目を果たす。
【０００６】
【発明が解決しようとする課題】
ところで、このような操作釦が使用される電子機器は非常に種類が多い。そのため、それに必要な操作釦も多種類の形状のものが必要となって来る。しかし、上記のような構成の操作釦では、釦部とヒンジ部とを一体成形としている為、多種類の釦部形状を満足させる為には、多種類の操作釦を開発しなければならい。また、後で開発される他の電子機器との間で操作釦を共用することができなかった。
【０００７】
また上記従来例の操作釦は、ヒンジ部にクラックの発生しにくい材料、すなわち剪断弾性の優れた材料であるポリプロピレンで一体成形されているため、釦部への印刷の密着性が悪くなるという問題があった。また、印刷密着性が良いアクリロニトリル・ブタジエン・スチレン樹脂（ＡＢＳ）で一体成形した場合は、ヒンジ部にクラックが発生し易くなるという問題があった。
【０００８】
本発明は上記問題点を解決するもので、釦部とヒンジ部とを分割し、各々に最適な材料を使用することにより、剪断弾性を犠牲にすることなく、釦への印刷の密着性を良くした操作釦を提供することを目的とする。
【０００９】
【課題を解決するための手段】
本発明は上記目的を達成するために、光透過性を有すると共にその表面に印刷を設けた釦部と、この釦部を嵌合可能な釦嵌合部および薄肉に形成されたヒンジ部を有する釦枠部とを備えたものである。
【００１０】
【作用】
本発明は上記した構成において、釦部は釦枠部よりも印刷密着性の優れた樹脂にて成形すると共に、前記釦枠部は前記釦部よりも剪断弾性の優れた樹脂にて成形することにより、印刷密着性とヒンジ部の強度とを両立させると共に、今後展開される機種に対して、釦部のみ新規に開発することで対応可能となる。
【００１１】
【実施例】
以下、本発明の一実施例について図面を参照しながら説明する。
【００１２】
図２は本発明の一実施例における操作釦の平面図であり、図１は同操作釦およびその関連部分のＢ−Ｂ線の断面図である。図１および図２において、図３および図４と対応する部分には同じ符号を使用している。
【００１３】
図１および図２に示す本実施例が図３および図４に示す従来例と異なるところは、操作釦６が釦部６ａと釦部以外の部分である釦枠部とに分割可能となっており、釦部６ａは光透過性を有すると共に印刷密着性に優れたアクリロニトリル・ブタジエン・スチレン樹脂（ＡＢＳ）に光拡散剤を混合した材料で成形され、釦枠部は剪断弾性の優れたポリプロピレンで成形されていることである。
【００１４】
図１および図２に示すように、前記釦枠部は、釦部６ａが嵌合可能な窓を有し、この窓の周辺には釦部６ａを掛止するための爪部６ｅを設けている。そして、ヒンジ部６ｂ、取付部６ｃ、抜け止め６ｄおよびスイッチ作動部６ｆは前記釦枠部に含まれる。
【００１５】
つぎに、本実施例の動作を説明する。
図１に示すように、釦部６ａを釦枠部の窓に圧入し、爪部６ｅで掛止することにより釦枠部に嵌合させる。そして、釦部６ａが嵌合された操作釦６を、フロントパネル５に固定する。そして、釦部６を矢印Ａの方向に押すと、その押圧力に依ってタクトスイッチ３が押され、ＬＥＤ２が光る。ＬＥＤホルダ−４はこの光を集光し、釦部６ａはこれらの光を拡散する。釦部６ａの表面には操作釦の機能名が印刷されており、この印刷がＬＥＤからの光によって照明される。
【００１６】
上記のように本実施例の操作釦は、釦部と釦枠部とに分割し、釦部には印刷密着性の優れたアクリロニトリル・ブタジエン・スチレン樹脂を使用し、釦枠部には剪断弾性の優れたポリプロピレンを使用したことに依り、ヒンジ部の強度を保ちながら釦部への印刷密着性を向上させることが出来た。また、機種展開の際には、釦部のみ新規に開発することで容易に対応が可能となる。
【００１７】
【発明の効果】
以上の説明から明らかな様に本発明は、釦部と釦枠部とを分割し、釦部は釦枠部よりも印刷密着性の優れた樹脂にて成形すると共に、前記釦枠部は前記釦部よりも剪断弾性の優れた樹脂にて成形することにより、釦枠部のヒンジ部の強度を保つと共に、釦部への印刷密着性を確保することが出来る。さらに、機種展開の際には、釦部のみを新規に開発することで容易に対応出来るというすぐれた効果を有する。
【図面の簡単な説明】
【図１】本発明の操作釦及びその関連部分の断面図
【図２】本発明の操作釦の平面図
【図３】従来の操作釦及びその関連部分の断面図
【図４】従来の操作釦の平面図
【符号の説明】
１  プリント基板
２  ＬＥＤ
３  タクトスイッチ
４  ＬＥＤホルダ−
５  フロントパネル
６  操作釦
６ａ  釦部
６ｂ  ヒンジ部
６ｃ  取付部
６ｄ  抜け止め
６ｅ  爪部
６ｆ  スイッチ作動部
【図１】
0003674962.tif 000002
【図２】
0003674962.tif 000003
【図３】
0003674962.tif 000004
【図４】
0003674962.tif 000005